(57)【特許請求の範囲】
【請求項１】
メインロープと、メインロープの少なくとも３箇所に設けられた伸縮調整具と、各伸縮調整具と作業者が装着した作業安全帯の被連結部とをつなぐ連結部材とからなり、各伸縮調整具は、所定の操作をすることによりメインロープに沿って移動し、所定方向の荷重がかかることによってメインロープ上での移動を阻止されるようになっており、メインロープの両端部には夫々伸縮調整具の抜け出しを阻止するストッパーを設け、胴綱使用時には、メインロープを樹木の２つの異なる幹又は枝に回し掛けて、その２つの異なる幹又は枝の中間に位置する伸縮調整具を連結部材を介して作業安全帯の被連結部に連結し、前記２つの異なる幹又は枝の両側に位置する２つの伸縮調整具を夫々連結部材を介して作業安全帯の被連結部に連結するようにした樹木上作業安全帯用胴綱。
【請求項２】
メインロープと、メインロープの少なくとも２箇所に設けられた伸縮調整具と、各伸縮調整具と作業者が装着した作業安全帯の被連結部とをつなぐ連結部材とからなり、各伸縮調整具は、所定の操作をすることによりメインロープに沿って移動し、所定方向の荷重がかかることによってメインロープ上での移動を阻止されるようになっており、メインロープの一端部には伸縮調整具の抜け出しを阻止するストッパーを設け、メインロープの他端部には作業安全帯の被連結部に連結する連結部材を設け、胴綱使用時には、メインロープを樹木の２つの異なる幹又は枝に回し掛けて、その２つの異なる幹又は枝の中間に位置する伸縮調整具を連結部材を介して作業安全帯の被連結部に連結し、メインロープの一端部側にある伸縮調整具及びメインロープの他端部を夫々連結部材を介して作業安全帯の被連結部に連結するようにした樹木上作業安全帯用胴綱。
【請求項３】
メインロープと、メインロープの少なくとも２箇所に設けられた伸縮調整具と、各伸縮調整具と作業者が装着した作業安全帯の被連結部とをつなぐ連結部材とからなり、各伸縮調整具は、所定の操作をすることによりメインロープに沿って移動し、所定方向の荷重がかかることによってメインロープ上での移動を阻止されるようになっており、メインロープの両端部には作業安全帯の被連結部に連結する連結部材を設け、胴綱使用時には、メインロープを樹木の２つの異なる幹又は枝に回し掛けて、その２つの異なる幹又は枝の中間に位置する伸縮調整具を夫々連結部材を介して作業安全帯の被連結部に連結し、メインロープの両端部を夫々連結部材を介して作業安全帯の被連結部に連結するようにした樹木上作業安全帯用胴綱。
【請求項４】
メインロープと、メインロープの少なくとも２箇所に設けられた伸縮調整具と、各伸縮調整具と作業者が装着した作業安全帯の被連結部とをつなぐ連結部材とからなり、各伸縮調整具は、所定の操作をすることによりメインロープに沿って移動し、所定方向の荷重がかかることによってメインロープ上での移動を阻止されるようになっており、メインロープの両端部には夫々伸縮調整具の抜け出しを阻止するストッパーを設け、メインロープの所要部にロープ固定部を設けて、これには作業安全帯の被連結部に連結する連結部材を設け、胴綱使用時には、メインロープを樹木の２つの異なる幹又は枝に回し掛けて、両伸縮調整具を夫々連結部材を介して作業安全帯の被連結部に連結し、メインロープのロープ固定部を連結部材を介して作業安全帯の被連結部に連結するようにした樹木上作業安全帯用胴綱。
【請求項５】
伸縮調整具は、ロープ部材の一端部側をメインロープに結び付けて結び目を形成したものからなる請求項１〜４の何れかに記載の樹木上作業安全帯用胴綱。
【請求項６】
伸縮調整具は、所定の操作をすることによりメインロープに沿って移動し、所定方向の荷重がかかることによってメインロープ上での移動を阻止されるように構成されたロック金具からなる請求項１〜４の何れかに記載の樹木上作業安全帯用胴綱。
【請求項７】
メインロープの端部に設けられるストッパーは、ロープ端部にループ状に形成されたアイ部からなる請求項１，２又は４に記載の樹木上作業安全帯用胴綱。
【請求項８】
ロープ固定部は、メインロープを折り曲げて中間部に固定した輪を形成したものからなる請求項４に記載の樹木上作業安全帯用胴綱。
【発明の詳細な説明】
【技術分野】
【０００１】
本発明は、樹木に登って枝や幹の切断作業等を安全に行えるように使用する樹木上作業安全帯用胴綱に関するものである。
【背景技術】
【０００２】
従来の樹木上作業安全帯用胴綱として、特許公報等の公知文献を具体的に挙げることはできないが、従来のこの種の胴綱として、一端部にフックを取り付けたメインロープと、メインロープの所要部に設けられていて、係止部を有する伸縮調整具と、からなるものが知られ、その伸縮調整具は、これを掴んでメインロープを押し引き操作することによりメインロープに沿って移動可能で、ロック部材に張力にかけることによりこのロック部材の作用でメインロープ上での移動を阻止されるようになっいる。しかして、樹木の高所で枝や幹の切断作業を行う際に、樹木上作業安全帯を装着した作業者は、樹木上の作業位置でメインロープを１本の幹にＵ字状に回し掛けて、その一端部の係止部を胴ベルトに係止し、伸縮調整具の他端部の係止部を胴ベルトに係止した状態で、伸縮調整具を手で押し引き操作してメインロープ沿いにスライドさせながら、所要位置でロック部材に所定方向の張力をかけることによって、伸縮調整具をロックしてメインロープを所要長さに調整する。このようにして、作業者は、樹木上の高所で胴綱に体を預けて安全に作業を行うことができる。
【発明の概要】
【発明が解決しようとする課題】
【０００３】
上記のように、従来の樹木上作業安全帯用胴綱は、メインロープに１つの伸縮調整具を設けたもので、胴綱使用時に、メインロープを１本の幹に回し掛けて、その一端部の係止部と伸縮調整具の係止部とを胴ベルトに係止し、伸縮調整具によりメインロープを所要長さに調整するようにしているが、この従来の胴綱では、支持形態が、作業者自身とメインロープを回し掛ける１本の幹との１点支持となることから、作業中に作業者の体が左右に揺れ易く、不安定な状態となり、またこの１点支持の場合は、メインロープを回し掛ける１本の幹が唯一の固定支持体であるから、その１本の幹が折れた時は、作業者が落下するという危険性がある。
【０００４】
本発明は、上記の事情に鑑み、ロープを、樹木の少なくとも２本の幹又は枝に回し掛けできるようにすると共に、作業者と各幹又は枝との間では互いに他の幹又は枝に対し独立してＵ字状の回し掛け状態を維持できるようにすることにより、高所での作業を安定状態で安全に行えるようにした樹木上作業安全帯用胴綱を提供することを目的とする。
【課題を解決するための手段】
【０００５】
上記課題を解決するための手段を、後述する実施形態の参照符号を付して説明すると、請求項１に係る発明の樹木上作業安全帯用胴綱１は、図３に示すように、メインロープ２と、メインロープ２の少なくとも３箇所に設けられた伸縮調整具４，４，４と、各伸縮調整具４と作業者Ｓが装着した作業安全帯９の被連結部１２，１３，１４とをつなぐ連結部材６とからなり、各伸縮調整具４は、所定の操作をすることによりメインロープ２に沿って移動し、所定の荷重がかかることによってメインロープ２上での移動を阻止されるようになっており、メインロープ２の両端部２ａ，２ｂには夫々伸縮調整具４の抜け出しを阻止するストッパー５，５を設け、胴綱使用時には、メインロープ２を樹木の２つの異なる幹Ｔ１，Ｔ２又は枝に回し掛けて、その２つの異なる幹Ｔ１，Ｔ２又は枝の中間に位置する伸縮調整具４を連結部材６を介して作業安全帯９の被連結部１２に連結し、前記２つの異なる幹Ｔ１，Ｔ２又は枝の両側に位置する２つの伸縮調整具４，４を夫々連結部材６を介して作業安全帯９の被連結部１３，１４に連結するようにしたことを特徴とする。
【０００６】
請求項２に係る発明の樹木上作業安全帯用胴綱１１は、図６に示すように、メインロープ２と、このメインロープ２の少なくとも２箇所に設けられた伸縮調整具４，４と、各伸縮調整具４と作業者Ｓが装着した作業安全帯９の被連結部１２，１３，１４とをつなぐ連結部材６とからなり、各伸縮調整具４は、所定の操作をすることによりメインロープ２に沿って移動し、所定方向の荷重がかかることによってメインロープ２上での移動を阻止されるようになっており、メインロープの一端部２ａには伸縮調整具４の抜け出しを阻止するストッパー５を設け、メインロープ２の他端部２ｂには作業安全帯９の被連結部１４に連結する連結部材６を設け、胴綱使用時には、メインロープ２を樹木の２つの異なる幹Ｔ１，Ｔ２又は枝に回し掛けて、その２つの異なる幹Ｔ１，Ｔ２又は枝の中間に位置する伸縮調整具４を連結部材６を介して作業安全帯９の被連結部１２に連結し、メインロープ２の一端部２ａ側にある伸縮調整具４及びメインロープ２の他端部２ｂを夫々連結部材６を介して作業安全帯９の被連結部１３，１４に連結するようにしたことを特徴とする。
【０００７】
請求項３に係る発明の樹木上作業安全帯用胴綱２１は、図７に示すように、メインロープ２と、このメインロープ２の少なくとも２箇所に設けられた伸縮調整具４と、各伸縮調整具４と作業者Ｓが装着した作業安全帯９の被連結部１２，１３，１４とをつなぐ連結部材６とからなり、各伸縮調整具４は、所定の操作をすることによりメインロープ２に沿って移動し、所定方向の荷重がかかることによってメインロープ２上での移動を阻止されるようになっており、メインロープ２の両端部２ａ，２ｂには作業安全帯９の被連結部１３，１４に連結する連結部材６を設け、胴綱使用時には、メインロープ２を樹木の２つの異なる幹Ｔ１，Ｔ２又は枝に回し掛けて、その２つの異なる幹Ｔ１，Ｔ２又は枝の中間に位置する伸縮調整具４，４を夫々連結部材６を介して作業安全帯９の被連結部１２に連結し、メインロープ２の両端部２ａ，２ｂを夫々連結部材６を介して作業安全帯９の被連結部１３，１４に連結するようにしたことを特徴とする。
【０００８】
請求項４に係る発明の樹木上作業安全帯用胴綱３１は、図８の(a) に示すように、メインロープ２と、このメインロープ２の少なくとも２箇所に設けられた伸縮調整具４，４と、各伸縮調整具４と作業者Ｓが装着した作業安全帯９の被連結部１２，１３，１４とをつなぐ連結部材６とからなり、各伸縮調整具４は、所定の操作をすることによりメインロープ２に沿って移動し、所定方向の荷重がかかることによってメインロープ２上での移動を阻止されるようになっており、メインロープ２の両端部２ａ，２ｂには夫々伸縮調整具４の抜け出しを阻止するストッパー５を設け、メインロープ２の所要部にロープ固定部２０を設けて、これには作業安全帯９の被連結部１２に連結する連結部材６を設け、胴綱使用時には、メインロープを樹木の２つの異なる幹Ｔ１，Ｔ２又は枝に回し掛けて、両伸縮調整具４，４を夫々連結部材６を介して作業安全帯９の被連結部１３，１４に夫々連結し、メインロープ２のロープ固定部２０を連結部材６を介して作業安全帯９の被連結部１２に連結するようにしたことを特徴とする。
【０００９】
請求項５は、請求項１〜４の何れかに記載の樹木上作業安全帯用胴綱において、伸縮調整具４は、図４に示すように、ロープ部材３の一端部３ａ側をメインロープ２に結び付けて結び目４Ａを形成したものからなることを特徴とする。
【００１０】
請求項６は、請求項１〜４の何れかに記載の樹木上作業安全帯用胴綱において、伸縮調整具４は、図５の(c) ，図９の(a) ，図１０〜図１２に示すように、所定の操作をすることによりメインロープ２に沿って移動し、所定方向の荷重がかかることよってメインロープ２上での移動を阻止されるように構成されたロック金具４Ｂ，４Ｃからなることを特徴とする。
【００１１】
請求項７は、請求項１，２又は４に記載の樹木上作業安全帯用胴綱において、メインロープ２の端部に設けられるストッパー５は、ロープ端部にループ状に形成されたアイ部からなることを特徴とする。
【００１２】
請求項８は、請求項４に記載の樹木上作業安全帯用胴綱において、ロープ固定部２０は、例えば図８の(b) に示すように、メインロープ２を折り曲げて中間部に固定した輪２２を形成したロープ結び２０Ａからなることを特徴とする。
【発明の効果】
【００１３】
上記解決手段による発明の効果を、後述する実施形態の参照符号を付して説明すると、請求項１に係る発明の樹木上作業安全帯用胴綱１は、図２に示すように、メインロープ２と、メインロープ２の少なくとも３箇所に設けられた伸縮調整具４，４，４と、各伸縮調整具４と作業者Ｓが装着した作業安全帯９の被連結部１２，１３，１４とをつなぐ連結部材６とからなるもので、メインロープ２の両端部２ａ，２ｂには夫々伸縮調整具４の抜け出しを阻止するストッパー５，５を設けているから、胴綱使用時に、メインロープ２を樹木の２つの異なる幹Ｔ１，Ｔ２又は枝に回し掛けて、その２つの異なる幹Ｔ１，Ｔ２又は枝の中間に位置する伸縮調整具４を連結部材６を介して作業安全帯９の被連結部１２に連結し、前記２つの異なる幹Ｔ１，Ｔ２又は枝の両側に位置する２つの伸縮調整具４，４を夫々連結部材６を介して作業安全帯９の被連結部１３，１４に連結することにより、胴綱１は、図３に例示するように、作業者Ｓが２つの異なる幹Ｔ１，Ｔ２（又は枝）との２点で支持されると共に、作業者Ｓと各幹Ｔ１，Ｔ２（又は枝）との間では互いに他の異なる幹Ｔ１，Ｔ２（又は枝）に対してＵ字状の回し掛け状態が維持されるため、作業中に作業者Ｓの体が左右に揺れるようなことがなく、作業者Ｓは安定状態を維持できて、作業を能率よく行うことができ、そして仮に一方の幹Ｔ１（又は枝）が折れたとしても、胴綱１は他方の異なる幹Ｔ２（又は枝）と作業者Ｓとの間でＵ字状の回し掛け状態が維持されるから、作業者が落下するという危険性を回避することができる。
【００１４】
また、この胴綱１は、メインロープ２の両端部２ａ，２ｂ側及びその中間部に夫々伸縮調整具４を設けているから、図３に示すように、作業者Ｓから一方の幹Ｔ１又は枝に対しＵ字状に回し掛けされる胴綱１部分と、他方の異なる幹Ｔ２又は枝に対しＵ字状に回し掛けされる胴綱１部分とで夫々独立して長さ調整ができ、それにより作業者Ｓと樹木の各幹Ｔ１，Ｔ２又は枝との距離に応じて、作業者Ｓの適正な作業位置を容易に調整することができ、従って樹木上での切断等の作業が非常にやり易くなる。また樹木の異なる幹Ｔ１，Ｔ２（又は枝）のいずれかが比較的細く、強度的にそれほど強くなくても、メインロープ２をそれら２つの異なる幹Ｔ１，Ｔ２（又は枝）に回し掛けすることによって、作業者Ｓを安全に保持できると共に、樹木上での切断等の作業を容易に行うことができる。
【００１５】
請求項２に係る発明の樹木上作業安全帯用胴綱１１は、図６に示すように、メインロープ２と、メインロープ２の少なくとも２箇所に設けられた伸縮調整具４，４と、各伸縮調整具４と作業者Ｓが装着した作業安全帯９の被連結部１２，１３，１４とをつなぐ連結部材６とからなり、メインロープの一端部２ａには伸縮調整具４の抜け出しを阻止するストッパー５を設け、メインロープ２の他端部２ｂには作業安全帯９の被連結部１４に連結する連結部材６を設け、胴綱１１の使用時には、図３に示す胴綱１の場合と同様、メインロープ２を樹木Ｔの２つの異なる幹Ｔ１，Ｔ２又は枝に回し掛けて、その２つの異なる幹Ｔ１，Ｔ２又は枝の中間に位置する伸縮調整具４を連結部材６を介して作業安全帯９の被連結部１２に連結し、メインロープ２の一端部２ａ側にある伸縮調整具４及びメインロープ２の他端部２ｂを夫々作業安全帯９の被連結部１３，１４に連結することにより、作業者Ｓが２つの異なる幹Ｔ１，Ｔ２（又は枝）との２点で支持されると共に、作業者Ｓと各幹Ｔ１，Ｔ２（又は枝）との間では互いに他の異なる幹Ｔ１，Ｔ２（又は枝）に対してＵ字状の回し掛け状態が維持されるため、作業中に作業者Ｓの体が左右に揺れるようなことがなく、作業者Ｓは安定状態を維持できて、作業を能率よく行うことができ、そして仮に一方の幹Ｔ１（又は枝）が折れても、胴綱１は他方の異なる幹Ｔ２（又は枝）と作業者Ｓとの間でＵ字状の回し掛け状態が維持されるから、作業者が落下するという危険性を回避することができる。
【００１６】
また、この胴綱１１は、メインロープ２の少なくとも２箇所に夫々伸縮調整具４を設けているから、作業者Ｓから一方の幹Ｔ１（又は枝）に対しＵ字状に回し掛けされる胴綱１１部分と、他方の異なる幹Ｔ２（又は枝）に対しＵ字状に回し掛けされる胴綱１１部分とで夫々独立して長さ調整ができ、それにより作業者Ｓと樹木の異なる各幹Ｔ１，Ｔ２又は枝との距離に応じて作業者Ｓの適正な作業位置を容易に調整でき、従って樹木上での作業が非常にやり易くなる。また樹木の幹Ｔ１，Ｔ２（又は枝）のいずれかが比較的細く、強度的にそれ程強くなくても、メインロープ２をそれら２本の異なる幹Ｔ１，Ｔ２に回し掛けすることにより、作業者Ｓを安全に保持できると共に、樹木上での作業を容易に行うことができる。
【００１７】
請求項３に係る発明の樹木上作業安全帯用胴綱２１は、図７に示すように、メインロープ２と、メインロープ２の少なくとも２箇所に設けた伸縮調整具４，４と、各伸縮調整具４と作業安全帯９の被連結部１２，１３，１４とをつなぐ連結部材６とからなるもので、メインロープ２の両端部２ａ，２ｂにも連結部材６を設けているから、胴綱使用時には、メインロープ２を樹木Ｔの２つの異なる幹Ｔ１，Ｔ２又は枝に回し掛けて、例えば、２つの異なる幹Ｔ１，Ｔ２又は枝の中間に位置する伸縮調整具４，４を夫々連結部材６を介して作業安全帯９の被連結部１２に連結し、両幹Ｔ１，Ｔ２又は枝の両側に位置するメインロープ２の両端部２ａ，２の連結部材６，６を作業安全帯９の被連結部１３，１４に夫々連結することにより、作業者Ｓが２つの異なる幹Ｔ１，Ｔ２又は枝との２点で支持されると共に、作業者Ｓと各幹Ｔ１，Ｔ２（又は枝）との間では互いに他の異なる幹Ｔ１，Ｔ２（又は枝）に対してＵ字状の回し掛け状態が維持されるため、作業中に作業者Ｓの体が左右に揺れるようなことがなく、作業者Ｓは安定状態を維持できて、作業を能率よく行うことができ、そして仮に一方の幹Ｔ１（又は枝）が折れても、胴綱１は他方の異なる幹Ｔ２（又は枝）と作業者Ｓとの間でＵ字状の回し掛け状態を維持するから、作業者が落下するという危険性を回避できる。
【００１８】
また、この胴綱２１は、メインロープ２の少なくとも２箇所に夫々伸縮調整具４を設けているから、作業者Ｓから一方の幹Ｔ１（又は枝）に対しＵ字状に回し掛けされる胴綱２１部分と、他方の異なる幹Ｔ２（又は枝）に対しＵ字状に回し掛けされる胴綱２１部分とで夫々独立して長さ調整ができ、それにより作業者Ｓと樹木の異なる各幹Ｔ１，Ｔ２又は枝との距離に応じて作業者Ｓの適正な作業位置を容易に調整でき、従って樹木上での作業が非常にやり易くなる。また樹木の幹Ｔ１，Ｔ２（又は枝）のいずれかが比較的細く、強度的にそれ程強くなくても、メインロープ２をそれら２本の異なる幹Ｔ１，Ｔ２に回し掛けすることにより、作業者Ｓを安全に保持できると共に、樹木上での作業を容易に行うことができる。
【００１９】
請求項４に係る発明の樹木上作業安全帯用胴綱３１は、図８の(a) に示すように、メインロープ２と、メインロープ２の少なくとも２箇所に設けた伸縮調整具４，４と、各伸縮調整具４と作業安全帯９の被連結部１２，１３，１４とをつなぐ連結部材６とからなり、メインロープ２の両端部２ａ，２ｂに夫々伸縮調整具４の抜け出しを阻止するストッパー５を設け、メインロープ２の所要部にロープ固定部２０を設けて、これに連結部材６を設けているから、胴綱使用時には、メインロープ２を樹木の２つの異なる幹Ｔ１，Ｔ２又は枝に回し掛けて、両伸縮調整具４，４を夫々連結部材６を介して作業安全帯９の被連結部１３，１４に連結し、ロープ固定部２０を連結部材６を介して作業安全帯９の被連結部１２に連結することによって、胴綱３１は、作業者Ｓが２つの異なる幹Ｔ１，Ｔ２との２点で支持されると共に、作業者Ｓと各幹Ｔ１，Ｔ２との間では互いに他の異なる幹Ｔ１，Ｔ２に対してＵ字状の回し掛け状態が維持されるから、作業者Ｓの体が左右に揺れるようなことがなく、作業者Ｓは安定状態を維持して作業を能率よく行える。そして、仮に一方の幹Ｔ１が折れても、胴綱１は他方の異なる幹Ｔ２と作業者Ｓとの間でＵ字状の回し掛け状態を維持できるから、作業者が落下する危険性を回避できる。
【００２０】
またこの胴綱３１は、メインロープ２の２箇所に夫々伸縮調整具４を設けているから、作業者Ｓと一方の幹Ｔ１との間でＵ字状の回し掛けされた胴綱３１部分と、他方の異なる幹Ｔ２との間で回し掛けされた胴綱３１部分とを夫々独立して長さ調整ができ、それにより作業者Ｓと樹木の各幹Ｔ１，Ｔ２との距離に応じて作業者Ｓの適正な作業位置を容易に調整でき、従って樹木上での作業が非常にやり易くなる。また樹木の異なる幹Ｔ１，Ｔ２（又は枝）のいずれかが比較的細くて、強度的にそれ程強くなくても、メインロープ２をそれら２つの異なる幹Ｔ１，Ｔ２に回し掛けすることによって、作業者Ｓを安全に保持できると共に、樹木上での作業を容易に行うことができる。
【００２１】
請求項５に記載のように、伸縮調整具４として、ロープ部材３の一端部３ａ側をメインロープ２に結び付けて結び目４Ａを形成したものを使用すれば、結び目４Ａの形成及び操作に多少の熟練を要するが、伸縮調整具４の製作コストを大幅に低減できる。
【００２２】
請求項６に記載のように、伸縮調整具４として、所定の操作をすることによりメインロープ２に沿って移動し、所定方向の荷重がかかることよってメインロープ２上での移動を阻止されるように構成されたロック金具４Ｂを使用すれば、操作が簡単容易となり、熟練を要しない。
【００２３】
請求項７に記載のように、メインロープ２の端部に設けられるストッパー５としては、例えば図５の(c) に示すように、ロープ端部にループ状に形成されたアイ部からなるものが好ましく、これによれば、ストッパー５として十分な機能を有すると共に、製作が容易で、外観上の体裁も良く、そしてまたこのアイ部を利用して、フックやカラビナ等からなる連結部材を取り付けることができる。
【００２４】
請求項８に記載のように、ロープ固定部２０としては、図８の(b) に例示するように、メインロープ２を折り曲げて中間部に固定した輪２２を形成する結び２０Ａからなるものが望ましく、これによれば、メインロープ２の一部を利用して形成されるから、そのロープ結び２０Ａの形成に多少の熟練を要するが、ロープ固定部２０を安価に形成することができる。
【図面の簡単な説明】
【００２５】
【図１】本発明に係る樹木上作業安全帯用胴綱の使用状態を示す斜視図である。
【図２】同上の樹木上作業安全帯用胴綱を示す斜視図である。
【図３】同上の樹木上作業安全帯用胴綱の使用状態を示す平面図である。
【図４】(a) 〜(f) はプルージック結びの結び方法を説明する説明図である。
【図５】(a) 及び(b) は伸縮調整具のプルージック結びを示すもので、(a) はプルージック結びの４回結びの拡大斜視図、(b) は６回結びを示す拡大斜視図であり、(c) はロック金具からなる伸縮調整具と開閉式フックからなる連結部材を示す斜視図である。
【図６】本発明に係る他の樹木上作業安全帯用胴綱を示す斜視図である。
【図７】本発明に係る更に他の樹木上作業安全帯用胴綱を示す斜視図である。
【図８】(a) は本発明に係る更に他の樹木上作業安全帯用胴綱の使用状態を示す平面図、(b) は(a) の一部拡大図である。
【図９】(a) は伸縮調整具及び連結部材の他の実施形態を示す斜視図、(b) はその使用状態を示す樹木上作業安全帯用胴綱の平面図である。
【図１０】伸縮調整具及び連結部材の更に他の実施形態を示す斜視図である。
【図１１】(a) ，(b) は夫々伸縮調整具及び連結部材の更に他の実施形態を示す斜視図である。
【図１２】(a) ，(b) は夫々伸縮調整具及び連結部材の更に他の実施形態を示す斜視図である。
【発明を実施するための形態】
【００２６】
以下に本発明の好適な実施形態を図面に基づいて説明すると、図１は本発明に係る樹木上作業安全帯用胴綱１を樹木上で使用している状態を示す斜視図、図２は同胴綱１を詳細に示す斜視図、図３は同胴綱１の使用状態を示す平面図である。これら図１〜図３に示す樹木上作業安全帯用胴綱１は、メインロープ２と、このメインロープ２の中間部とその両端部２ａ，２ｂ側との３箇所に設けられた伸縮調整具４，４，４と、各伸縮調整具４と作業者Ｓが装着した作業安全帯９の被連結部１２，１３，１４とをつなぐ連結部材６とからなり、メインロープ２の両端部２ａ，２ｂには夫々メインロープ伸縮調整具４の抜け出しを阻止するストッパー５が設けられ、各伸縮調整具４には連結部材６が一体に設けてある。各伸縮調整具４は、後記のロープ部材３によるプルージック結び４Ａからなるもので、手で掴んで押し引き操作することにより、メインロープ２に沿ってスライドさせることができ、そして所定方向の張力をかけることにより、メインロープ２上にロックされて動かなくなるようになっている。
【００２７】
各伸縮調整具４は、ロープ部材３の一端部３ａ側をメインロープ２に結び付けて形成されるプルージック結び４Ａからなるもので、このプルージック結び４Ａは、これを手で掴んでメインロープ２に沿って押し引きすることでスライド可能となり、そしてロープ部材３を介してメインロープ２と交差する方向に引っ張ることによってメインロープ２上にロックさせることができる。各連結部材６は、ここでは開閉式フック２６からなるが、フック２６以外にカラビナやリンクスを使用することもできる。
【００２８】
各伸縮調整具４を形成するプルージック結び４Ａは、径の太いメインロープ２にこれより細いロープ部材３の一部を結び付ける周知のもので、その結び付け方法は、図４の(a) 〜(f) に示すように、無端リング状に形成したロープ部材３を細長に折り曲げた状態で、一端側折り曲げ部分３ａをメインロープ２の上に直交させ（(a) 参照）、その状態でロープ部材３の他端側折り曲げ部分３ｂを、メインロープ２の下方に回し、一端側折り曲げ部分３ａとメインロープ２の間から上方へ通し（(b) ，(c) 参照）、この上方へ通したロープ部材３の他端側折り曲げ部分３ｂを下に返す。ここで(d) に示すように２つのロープ部材３部分が一端側折り曲げ部分３ａの内側に入っているかを確認し、(e) に示すように、メインロープ２に結着しているロープ部材３部分を緩めて、再びロープ部材３の他端側折り曲げ部分３ｂを一端側折り曲げ部分３ａの中に通して下に引っ張ることにより、(f) に示すような４回巻きプルージック結び４Ａを形成する。(f) に示すプルージック結び４Ａを拡大図示したものを図５の(a) に示す。
【００２９】
図５の(b) は、６回巻きプルージック結び４Ａを示したもので、この６回巻きプルージック結び４Ａは、図４の(f) に示す状態にある４回巻きプルージック結び４Ａを緩めて、(f) に示すロープ部材３の端末３ｂを折り曲げ部分３ａに通して下に引っ張ることにより形成することができる。尚、この実施形態では、ロープ結びとしてプルージック結び４Ａを使用しているが、プルージック結び４Ａに限らず、ロープ部材３を緩める時はメインロープ２上を自由に移動し、ロープ部材３を緊張すると、結び目４Ａが締まって移動を阻止されるものであれば、どのようなロープ結びでもよい。
【００３０】
図４の(a) 〜(f) に示す結び付け方法によって基端部（一端部）３ａがメインロープ２に対しメインロープ伸縮調整具４を形成したロープ部材３の先端部（他端部）３ｂ側に、図２に示すように樹脂製の筒状部材８が套嵌され、この筒状部材８から突出した折り曲げ部分３ｂに、連結部材６としての開閉式フック２６の取付リング２６ａが取り付けられる。また、メインロープ２の両端部２ａ，２ｂに夫々設けてあるストッパー５は、メインロープ２の端部にループ状に形成されたアイ部からなるものである。このように、ストッパー５をアイ部からなるものとすれば、ストッパー５として十分な機能を有すると共に、製作が容易で、外観上の体裁も良く、またこのアイ部を利用して、フックやカラビナなどからなる連結部材６を簡単に取り付けることができる。尚、ストッパー５としては、この実施形態に示すようなアイ部に限らず、メインロープ２をその端部に結び目ができるように結ぶだけでもよいし、またメインロープ２の端部にメインロープ２より径大の金属片等を固着したものでもよい。
【００３１】
尚、作業者Ｓが装着する作業安全帯９としては、図１に示すようなフルハーネス型の安全帯の他に、イージーハーネス型安全帯、シットハーネス型安全帯、腿ベルト型安全帯、胴ベルト型安全帯等を使用することができる。そして、作業安全帯９の被連結部１２，１３，１４は、図１〜図３、図６〜図９に示す実施形態では、安全帯９の胴ベルト１０の両側部と正面部とに設けているが、胴ベルト１０のどこに設けてもよく、またそのような胴ベルトに限らず、各種作業安全帯の胸ベルトや肩ベルト等に設けることができる。
【００３２】
上記のような構成よりなる樹木上作業安全帯用胴綱１の使用にあたって、作業者Ｓは、図１に示すように、例えばフルハーネス型の作業安全帯９を装着した状態で、樹木の所定箇所において、メインロープ２の中間部に位置する伸縮調整具４につながれた連結部材６（開閉式フック２６）を、作業安全帯９の胴ベルト１０の正面側にある被連結部としての連結用リング１２に連結し、このメインロープ２の両端部２ａ，２ｂ側を樹木Ｔの二股に分かれた異なる幹Ｔ１，Ｔ２に回し掛けて、メインロープ２の両端部２ａ，２ｂ側にある伸縮調整具４，４につながれた連結部材６，６を、胴ベルト１０の両側にある被連結部としての連結用リング１３，１４に夫々連結して、図１に示すような状態とする。この図１に示す状態のメインロープ２及び各伸縮調整具４のロープ部材３は夫々緩んだ状態にある。尚、樹木上作業安全帯９の胴ベルト１０は、図３に示すように、外締めベルト１０ａとこれの内側にある胴当てベルト１０ｂとからなるもので、外締めベルト１０ａの正面側と両側に連結用リング（被連結部）１２〜１４が取り付けられている。また、メインロープ２を回し掛ける樹木は、二股に分かれた２つの異なる幹Ｔ１，Ｔ２に限らず、幹から分かれた比較的太い２つの異なる枝でもよいし、あるいは幹と枝の２つでもよい。
【００３３】
しかして、作業者Ｓは、樹木上において幹Ｔ１，Ｔ２の切断作業等に最適な姿勢を確保するようにメインロープ２を伸縮調整する。このメインロープ２の伸縮調整にあたって、作業者Ｓは、メインロープ２の両端部２ａ，２ｂ側にある伸縮調整具４のロープ部材３及び中間にある伸縮調整具４のロープ部材３を十分に緩めた状態から、必要な伸縮調整具４を掴んでメインロープ２沿いにスライドさせながら作業者Ｓの位置と幹Ｔ１，Ｔ２との夫々の距離を所望に調節し、最適な作業姿勢を確保したら、腰を後方へ突っ張った状態でロープ部材３を緊張させて、伸縮調整具４をメインロープ２上にロックすればよい。
【００３４】
図３は、上記のようにメインロープ２の両端部２ａ，２ｂ側にある伸縮調整具４，４及びその中間部にある伸縮調整具４の何れかをメインロープ２に沿って適宜にスライドさせることによって、作業者Ｓが最適な作業姿勢を確保できるようにした状態を示すもので、メインロープ２及び３つの伸縮調整具４，４，４のロープ部材３，３，３は互いに緊張状態にある。また、この図３に示す状態から、作業者Ｓが例えば同図の右側へ少しだけ移動した作業姿勢を確保したい場合には、作業者Ｓが一旦メインロープ２の中央部側へ近づくように体勢移動して各伸縮調整具４のロープ部材３を緩めた状態から、図３の右側にある伸縮調整具４の結び４Ａ部分を掴んで、幹Ｔ１側へ近づくようにメインロープ２に沿ってスライドさせる一方、図３の左側にある伸縮調整具４の結び４Ａ部分を掴んで、幹Ｔ２側から離れるようにメインロープ２に沿って適宜スライドさせた後、作業者Ｓがメインロープ２の中央部側から離れるように体勢移動すればよい。
【００３５】
上述したように、図１〜図３に示す樹木上作業安全帯用胴綱１は、メインロープ２と、メインロープ２の３箇所に設けられた伸縮調整具４，４，４と、各伸縮調整具４と作業安全帯９に設けてある連結用リング（（被連結部）１２，１３，１４とをつなぐ連結部材６とからなるもので、メインロープ２の両端部２ａ，２ｂに夫々伸縮調整具４の抜け出しを阻止するストッパー５，５を設けているから、胴綱使用時に、メインロープ２を樹木の２つの幹Ｔ１，Ｔ２に回し掛けて、その２つの幹Ｔ１，Ｔ２の中間に位置する伸縮調整具４を連結部材６を介して胴ベルト１０の正面側にある連結用リング（被連結部）１２に連結し、前記２つの幹Ｔ１，Ｔ２の両側に位置する２つの伸縮調整具４，４の連結部材６，６を胴ベルト１０の両側にある連結用リング（被連結部）１３，１４に連結することにより、胴綱１は、図３に例示するように、作業者Ｓが２つの幹Ｔ１，Ｔ２との２点で支持されると共に、作業者Ｓと各幹Ｔ１，Ｔ２との間では互いに他の幹Ｔ１，Ｔ２に対してＵ字状の回し掛け状態が維持されるため、作業中に作業者Ｓの体が左右に揺れるようなことがなく、作業者Ｓは安定状態を維持できて、作業を能率よく行うことができ、そして仮に一方の幹Ｔ１（又は枝）が折れたとしても、胴綱１は他方の幹Ｔ２（又は枝）と作業者Ｓとの間でＵ字状の回し掛け状態が維持されるから、作業者が落下するという危険性を回避することができる。
【００３６】
また、この樹木上作業安全帯用胴綱は、メインロープ２の両端部２ａ，２ｂ側及びその中間部に夫々伸縮調整具４を設けているから、図３に示すように、作業者Ｓから一方の幹Ｔ１に対しＵ字状に回し掛けされる胴綱１部分と、他方の幹Ｔ２に対してＵ字状に回し掛けされる胴綱１部分とで夫々独立して長さ調整ができ、それにより作業者Ｓと樹木の各幹Ｔ１，Ｔ２又は枝との距離に応じて、作業者Ｓの適正な作業位置を容易に調整することができ、従って樹木上での切断等の作業が非常にやり易くなる。また樹木の幹Ｔ１，Ｔ２（又は枝）のいずれかが比較的細く、強度的にそれほど強くなくても、メインロープ２をそれら２本の幹Ｔ１，Ｔ２に回し掛けすることによって、作業者を安全に保持できると共に、樹木上での切断等の作業を容易に行うことができる。
【００３７】
図１〜図３によって説明した樹木上作業安全帯用胴綱１では、メインロープ２の中間部側と両端部２ａ，２ｂ側との３箇所に伸縮調整具４を設けているが、伸縮調整具４は３つに限るものではなく、４つ以上の伸縮調整具４をメインロープ２に設けてもよい。
【００３８】
図６は、本発明に係る他の樹木上作業安全帯用胴綱１１を示す。この胴綱１１は、メインロープ２と、このメインロープ２の２箇所に設けられた伸縮調整具４，４と、各伸縮調整具４と作業者Ｓが装着した作業安全帯９の連結用リング（被連結部）１２，１３，１４とをつなぐ連結部材６とからなり、各伸縮調整具４は、図１〜図３に示す胴綱１と同様にロープ部材３によるプルージック結び４Ａからなるもので、手で掴んで押し引き操作することによりメインロープ２に沿ってスライドさせることができ、ロープ部材３を介してメインロープ２と交差する方向に引っ張ることにより、メインロープ２上にロックできるようになっている。また、メインロープ２の一端部２ａには伸縮調整具４の抜け出しを阻止するストッパー５が設けられ、その他端部２ｂには開閉式フック２６からなる連結部材６が連結され、そして各伸縮調整具４にも同じ開閉式フック２６からなる連結部材６が連結されている。ストッパー５は、メインロープ２の一端部２ａにループ状に形成されたアイ部からなるものである。
【００３９】
この樹木上作業安全帯用胴綱１１の使用にあたり、作業者Ｓは、図１に示すような樹木上作業安全帯９を装着した状態で、メインロープ２を樹木Ｔの２本の異なる幹Ｔ１，Ｔ２に回し掛けて、その２つの異なる幹Ｔ１，Ｔ２の中間に位置する伸縮調整具４を、連結部材６を介して作業安全帯９の胴ベルト１０の正面側連結用リング（被連結部）１２に連結し、メインロープ２の一端部２ａ側にある伸縮調整具４及びメインロープ２の他端部２ｂを、夫々連結部材６を介して胴ベルト１０の両側にある連結用リング（被連結部）１３，１４に連結することによって、胴綱１１は、作業者Ｓが２つの異なる幹Ｔ１，Ｔ２との２点で支持されると共に、作業者Ｓと各幹Ｔ１，Ｔ２との間では互いに他の異なる幹Ｔ１，Ｔ２に対しＵ字状の回し掛け状態が維持されるため、作業中に作業者Ｓの体が左右に揺れるようなことがなく、作業者Ｓは安定状態を維持でき、作業を能率よく行うことができる。そして仮に一方の幹Ｔ１が折れたとしても、胴綱１１は他方の異なる幹Ｔ２と作業者Ｓとの間でＵ字状の回し掛け状態が維持されるから、作業者が落下するという危険性を回避することができる。
【００４０】
またこの樹木上作業安全帯用胴綱１１は、メインロープ２の２箇所に伸縮調整具４，４を設けているから、作業者Ｓから一方の幹Ｔ１に対しＵ字状に回し掛けされる胴綱１部分と、他方の幹Ｔ２に対しＵ字状に回し掛けされる胴綱１部分とで夫々独立してメインロープ２の長さ調整ができ、それにより作業者Ｓと樹木の各幹Ｔ１，Ｔ２との距離に応じて、作業者Ｓの適正な作業位置を容易に調整でき、従って樹木上での作業がやり易くなる。また樹木の幹Ｔ１，Ｔ２（又は枝）のいずれかが比較的細く、強度的にそれほど強くなくても、メインロープ２をそれら２本の幹Ｔ１，Ｔ２に回し掛けすることにより、作業者Ｓを安全に保持できると共に、樹木上での作業を容易に行うことができる。尚、図６に示す実施形態の胴綱１１ではメインロープ２に２つの伸縮調整具４，４を設けているが、伸縮調整具４は２つに限るものではなく、３つ以上設けてもよい。
【００４１】
図７は本発明に係る更に他の樹木上作業安全帯用胴綱２１を示している。この胴綱２１は、メインロープ２と、このメインロープ２の中間部２箇所に設けられた伸縮調整具４，４と、各伸縮調整具４と作業者Ｓが装着した作業安全帯９の連結用リング（被連結部）１２，１３，１４とをつなぐ連結部材６とからなり、メインロープ２の両端部２ａ，２ｂにも夫々連結部材６を連結したもので、各連結部材６は開閉式フック２６からなる。各伸縮調整具４は、前記胴綱１，１１のものと同様にロープ部材３によるプルージック結び４Ａからなるもので、手で掴んで押し引き操作することによりメインロープ２に沿ってスライドさせることができ、ロープ部材３を介してメインロープ２と交差する方向に引っ張ることにより、メインロープ２上にロックさせることができる。
【００４２】
この胴綱２１の使用にあたって、作業者Ｓは、図１に示すような樹木上作業安全帯９を装着した状態で、樹木の所定箇所において、図７に示すように、メインロープ２を樹木Ｔの２つの異なる幹Ｔ１，Ｔ２に回し掛け、このメインロープ２の両端部２ａ，２ｂにある連結部材６，６を胴ベルト１０の両側にある連結用リング（被連結部）１３，１４に夫々連結し、２つの異なる幹Ｔ１，Ｔ２の間に位置させた２つの伸縮調整具４，４を、夫々連結部材６を介して胴ベルト１０の正面側の連結用リング（被連結部）１２に連結する。これにより、胴綱２１は、作業者Ｓが２つの異なる幹Ｔ１，Ｔ２との２点で支持されると共に、作業者Ｓと各幹Ｔ１，Ｔ２との間では互いに他の異なる幹Ｔ１，Ｔ２に対してＵ字状の回し掛け状態が維持されるため、作業者Ｓの体が左右に揺れるようなことがなく、作業者Ｓは安定状態を維持して作業を能率よく行うことができる。そして、仮に一方の幹Ｔ１が折れても、胴綱１は他方の異なる幹Ｔ２と作業者Ｓとの間でＵ字状の回し掛け状態を維持するから、作業者が落下するという危険性を回避できる。
【００４３】
またこの胴綱２１は、メインロープ２の中間部２箇所に夫々伸縮調整具４を設けているから、作業者Ｓから一方の幹Ｔ１に対しＵ字状に回し掛けされる胴綱２１部分と、他方の幹Ｔ２に対しＵ字状に回し掛けされる胴綱２１部分とで夫々独立してメインロープ２の長さ調整ができ、それにより作業者Ｓと樹木の各幹Ｔ１，Ｔ２との距離に応じて、作業者Ｓの適正な作業位置を容易に調整でき、従って樹木上での作業が非常にやり易くなる。また樹木の幹Ｔ１，Ｔ２（又は枝）のいずれかが比較的細く、強度的にそれほど強くなくても、メインロープ２をそれら２本の幹Ｔ１，Ｔ２に回し掛けすることにより、作業者を安全に保持できると共に、樹木上での作業を容易に行うことができる。尚、図７に示す実施形態の胴綱２１では、メインロープ２の中間部に２つの伸縮調整具４，４を設けているが、伸縮調整具４は２つに限るものではなく、３つ以上設けてもよい。
【００４４】
以上説明した図１〜図３、図６〜図７に示す樹木上作業安全帯用胴綱１，１１，２１の各伸縮調整具４は、図４の(a) 〜(f) によって説明したようなロープ部材３によるプルージック結び４Ａからなるものであるが、伸縮調整具４はそのようなプルージック結び４Ａからなるものに限らず、図５の(c) に示すようなロック金具４Ｂからなるものでもよい。即ち、この(c) に示すロック金具４Ｂは、所定方向に荷重をかけることによって作動するロック部材１５のロック作用によりメインロープ２上での移動を阻止され、前記荷重を解放することによってロック部材１５によるロックが解除され、そのロック解除状態で金具本体１６を押し引き操作することによってメインロープ２上で移動可能となるように構成されたもので、ロック部材１５は、メインロープ２を保持する断面略Ｕ字形金具本体１６に枢軸１９により枢着されていて、一端部にはメインロープ２に対し接離可能な偏心カム部１７を有し、他端部に取付孔１８を有し、常時はバネ（図示せず）により、ロック部材１５を、その偏心カム部１７がメインロープ２から離間して金具本体１６をメインロープ２に沿ってスライド可能なロック解除位置に付勢し、そしてロック部材１５の取付孔１８に取り付けた操作用紐体２５を、前記バネに抗して所定方向（例えば、図５の(c) に関して右斜め上方向）に引張することにより、ロック部材１５が枢軸１９を中心に回動して、偏心カム部１７がメインロープ２に圧接し、その圧接摩擦力によって金具本体１６をメインロープ２上にロックする構成となっている。
【００４５】
図５の(c) に示すロック金具４Ｂは、操作用紐体２５の一端部に設けた輪っか２５ａがロック部片１５の取付孔１８に取り付けられ、その他端部に設けた同様な輪っか２５ｂに開閉式フック２６（連結部材６）の取付リング２６ａ取り付けられる。尚、図５の(c) に示すロック金具４Ｂは、一例であって、所定方向に荷重をかけることによって作動するロック部材１５のロック作用によりメインロープ２上での移動を阻止されて動かなくなり、その荷重を解放することによってロック部材１５がロック解除され、そのロック解除状態で金具本体１６がメインロープ２沿いに移動可能となるように構成されたものであれば、どのような構成でもよい。
【００４６】
図８の(a) は、本発明に係る更に他の樹木上作業安全帯用胴綱３１の使用状態を示し、この胴綱３１は、メインロープ２と、このメインロープ２の両端部２ａ，２ｂ側に設けられた２つの伸縮調整具４，４と、各伸縮調整具４と作業者Ｓが装着した作業安全帯９の連結用リング（被連結部）１２，１３，１４とをつなぐ連結部材６とから構成され、メインロープ２の両端部２ａ，２ｂに夫々伸縮調整具４の抜け出しを阻止するストッパー５を設け、メインロープ２の中間部にロープ固定部２０を設け、このロープ固定部２０には例えばカラビナ２４からなる連結部材６を設け、しかして胴綱３１の使用にあたり、図示のように、メインロープ２を樹木の２つの異なる幹Ｔ１，Ｔ２に回し掛けて、メインロープ２の両端部２ａ，２ｂ側の伸縮調整具４，４を、夫々連結部材６を介して胴ベルト１０の両側にある連結用リング（被連結部）１３，１４に連結し、メインロープ２の中間部側にあるロープ固定部２０を連結部材６を介して胴ベルト１０の正面側にある連結用リング（被連結部）１２に連結するようにしたものである。各伸縮調整具４は、前述した胴綱１，１１，２１と同様に、ロープ部材３によるプルージック結び４Ａからなるもので、手で掴んで押し引き操作することによりメインロープ２に沿ってスライドさせることができ、ロープ部材３を介してメインロープ２と交差する方向に引っ張ることにより、メインロープ２上にロックさせることができる。尚、ロープ固定部２０の連結部材６は、図８の(b) に示すようなカラビナ２４に限らず、開閉式フックやリンクスでもよい。
【００４７】
メインロープ２の中間部に設けられるロープ固定部２０は、メインロープ２を折り曲げて中間部に固定した輪２２を形成するようなロープ結びからなるもので、具体的に、図８の(b) に示すようなバタフライノット２０Ａや、図示は省略するが、ダブルエイトノット等もある。このようなバタフライノット２０Ａやダブルエイトノット等によって形成されるロープ固定部２０によれば、メインロープ２の一部を利用して形成されるから、ロープ固定部２０を簡単容易に形成できる利点がある。
【００４８】
尚、上記樹木上作業安全帯用胴綱３１のメインロープ２、伸縮調整具４、ストッパー５及び連結部材６については、胴綱１，１１，２１と全く同じである。
【００４９】
上記胴綱３１の使用にあたって、作業者Ｓは、図１に示すような樹木上作業安全帯９を装備した状態で、樹木の所定箇所において、図８の(a) に示すように、メインロープ２を樹木の２つの異なる幹Ｔ１，Ｔ２に回し掛けて、このメインロープ２の両端部２ａ，２ｂ側にある伸縮調整具４，４を、夫々連結部材６を介して胴ベルト１０の両側にある連結用リング（被連結部）１３，１４に連結し、メインロープ２の中間部にあるロープ固定部２０の輪２２に取り付けたカラビナ２４からなる連結部材６を、胴ベルト１０の正面側にある連結用リング（被連結部）１２に連結する。これによって、胴綱３１は、作業者Ｓが２つの異なる幹Ｔ１，Ｔ２の２点で支持されると共に、作業者Ｓと各幹Ｔ１，Ｔ２との間では互いに他の異なる幹Ｔ１，Ｔ２に対してＵ字状の回し掛け状態が維持されるため、作業者Ｓの体が左右に揺れるようなことがなく、作業者Ｓは安定状態を維持して作業を能率よく行うことができる。仮に一方の幹Ｔ１が折れても、胴綱１は他方の異なる幹Ｔ２と作業者Ｓとの間でＵ字状の回し掛け状態を維持できるから、作業者が落下すると危険性を回避することができる。
【００５０】
またこの胴綱３１は、メインロープ２の２箇所に夫々伸縮調整具４を設けているから、作業者Ｓと一方の幹Ｔ１との間でＵ字状に回し掛けされた胴綱３１部分と、他方の幹Ｔ２との間でＵ字状に回し掛けされた胴綱３１部分とを夫々独立して長さ調整ができ、それにより作業者Ｓと樹木の各幹Ｔ１，Ｔ２との距離に応じて作業者Ｓの適正な作業位置を容易に調整でき、従って樹木上での作業が非常にやり易くなる。また樹木の幹Ｔ１，Ｔ２が比較的細くて、強度的にそれほど強くなくても、メインロープ２をそれら２本の幹Ｔ１，Ｔ２に回し掛けすることによって、作業者を安全に保持できると共に、樹木上での作業を容易に行うことができる。尚、図８に示す実施形態の胴綱３１では、メインロープ２に２つの伸縮調整具４，４を設けているが、伸縮調整具４は２つに限るものではなく、３つ以上設けてもよい。
【００５１】
図９の(a) は、図５の(c) に示されるものと同様なロック金具４Ｂからなる伸縮調整具４に、カラビナ２７からなる連結部材６を着脱自在に取り付けた実施形態を示している。このカラビナ２７は、あくまでも一例であるが、略Ｃ字形の本体部２７ａと、本体部２７ａの下端部側に枢軸２７ｂを介して回動可能に枢着され、Ｃ字形本体部２７ａの開口を閉鎖する回動部２７ｃと、回動部２７ｃの遊端部と本体部２７ａの上端部側とに亘って螺嵌された安全リング２７ｄとにより構成され、使用にあたっては、安全リング２７ｄを回して本体部２７ａの上端部側から回動部２７ｃ側に引き込んだ後、この回動部２７ｃを枢軸２７ｂを中心に回動して、Ｃ字形本体部２７ａの開口を開放することにより、ロック金具４Ｂのロック部材１５に設けてある取付孔１８に挿通して取付け可能な状態となる。
【００５２】
図９の(b) は、上記のようなロック金具４Ｂからなる伸縮調整具４とカラビナ２７からなる連結部材６とを備えた樹木上作業安全帯用胴綱１の使用状態を示したもので、その使用形態は、図１〜図３に示される胴綱１と同様であるから、その説明を省略する。
【００５３】
図１０には、カムレバーロック機構を有するロック金具４Ｃからなる伸縮調整具４に、開閉式フック２６とカラビナ２７とからなる連結部材６を着脱自在に取り付けた実施形態を示す。ロック金具４Ｃは、メインロープ２を保持する断面略Ｕ字形の金具本体２８に、夫々下端部側に偏心カム２９ａ，２９ａを形成した前後一対のカムレバー２９，２９を夫々枢軸３０により枢着し、両カムレバー２９，２９の上端部どうしをグリップレバー３５によって枢軸３２で枢支連結すると共に、グリップレバー３５の一端部に取付部片３３を取り付け、そして常時はバネ（図示せず）によって両カムレバー２９，２９を図示のように夫々の偏心カム２９ａ，２９ａがメインロープ２に圧接するように付勢したもので、取付部片３３のリング部３３ａに、開閉式フック２６のフック部２６ｂが取り付けられると共に、このフック２６の基端側取付リング２６ａにカラビナ２７が取り付けられる。
【００５４】
しかして、上記ロック金具４Ｃは、図１０に示す状態において、金具本体２８を掴んで図中の矢印ａ方向には移動できるが、矢印ａと反対方向に移動させようとしても、両カムレバー２９，２９の偏心カム２９ａ，２９ａにより一方向ロックがかかっているため移動できず、そこでグリップレバー３１を握って矢印ｂ方向に押えると、両カムレバー２９，２９が矢印ｃ方向に傾転し、偏心カム２９ａ，２９ａがメインロープ２から離間してロック解除し、金具本体２８は矢印ａ方向及びその反対方向の何れにも移動可能となり、また図１０に示す状態から連結部材６を図１０に関して右斜め方向に引っ張ることにより、偏心カム２９ａ，２９ａによるロック状態が更に強くなって、金具本体２８がメインロープ２上に強固に固定される。
【００５５】
また、図１０に示す開閉式フック２６は、周知構造のもので、常時はフック部２６ｂの開口がストッパー２６ｃにより閉鎖されており、ストッパー５２６ｃはその位置にロックされているが、ロック解除レバー２６ｄ先端側を図中の矢印ｄ方向に押すと、ストッパー２６ｃのロックが解除されるから、このストッパー２６ｃの先端側を矢印ｅ方向に押すことにより、フック部２６ｂの開口が開放される。カラビナ２７は、図９の(a) に示すものと同じ構造である。
【００５６】
この図１０に示すような開閉式フック２６とカラビナ２７とからなる連結部材６を伸縮調整具４に取り付けた胴綱１，１１，２１，３１の使用においては、開閉式フック２６とカラビナ２７とを互いに連結した連結部材６のカラビナ２７を先に作業者の胴ベルト１０の被連結部に取り付けておいて、その後に連結部材６の開閉式フック２６フック部２６ｂを、伸縮調整具４であるロック金具４Ｃの取付部片３３のリング部３３ａに取り付けるようにすれば、連結作業が容易となる。
【００５７】
図９の(a) に示す伸縮調整具４及び連結部材６と、図１０に示す伸縮調整具４及び連結部材６とは、いずれも連結部材６を伸縮調整具４に対し着脱自在に取り付けた場合であるが、図１１の(a) ，(b) 及び図１２の(a) ，(b) は、いずれも連結部材６を伸縮調整具４に対し取り外し不能に一体に取り付けた実施形態を示す。先ず、図１１の(a) は、図９の(a) に示すものと同じロック金具４Ｂからなる伸縮調整具４に、図１０に示すものと同様の開閉式フック２６からなる連結部材６を一体的に取り付けたものであって、ロック金具４Ｂの金具本体１６に枢着されているロック部材１５の上端部にフック２６の基端側取付部２６ａを例えば溶接によって接合している。
【００５８】
図１１の(b) は、図９の(a) に示すものと同じロック金具４Ｂからなる伸縮調整具４に、図１０に示すものと同じ開閉式フック２６からなる連結部材６を一体的に取り付けたものであり、ロック金具４Ｂの金具本体１６に枢着されているロック部材１５の上端部に、フック２６の基端側取付部２６ａを、連結軸体３４によって、フック２６の縦軸線Ｇ回りに回転可能に一体的に連結している。このように伸縮調整具４に回転可能に一体的に連結した連結部材６によれば、連結部材６が図１１の(b) の矢印で示すように縦軸線Ｇ回りに回転できるから、胴綱１，１１，２１，３１の使用において、メインロープ２やロープ部材３が捻じれるのを防止することができる。
【００５９】
図１２の(a) は、図１０に示すものと同様なロック金具４Ｃからなる伸縮調整具４に、図１０に示すような開閉式フック２６からなる連結部材６を一体的に取り付けたもので、ロック金具４Ｃのグリップレバー３５の一端部にフック２６の基端側取付部２６ａをビス等によって一体的に取り付けている。また、図１２の(b) は、図１０に示すものと同じロック金具４Ｃからなる伸縮調整具４に図１０に示すような開閉式フック２６からなる連結部材６を一体的に取り付けたもので、ロック金具４Ｃのグリップレバー３５の一端部に取付部材３６をビス等によって一体的に取り付け、この取付部材３６に、フック２６の基端側取付部２６ａを、連結軸体３４によって、フック２６の縦軸線Ｇ回りに回転可能に一体に連結している。この図１２の(b) に示すような連結部材６では、この連結部材６が伸縮調整具４に対し回転できるから、胴綱１，１１，２１，３１の使用において、メインロープ２やロープ部材３が捻じれるのを防止できる。
【符号の説明】
【００６０】
１            樹木上作業安全帯用胴綱
２            メインロープ
３            ロープ部材
４            伸縮調整具
４Ａ          プルージック結び（伸縮調整具）
４Ｂ          ロック金具（伸縮調整具）
４Ｃ          ロック金具（伸縮調整具）
５            ストッパー
６            連結部材
Ｔ            樹木
Ｔ１，Ｔ２    樹木の幹
９            樹木上作業安全帯
１０          胴ベルト
１１          樹木上作業安全帯用胴綱
１２〜１４    連結用リング（被連結部）
２０          ロープ固定部
２０Ａ        バタフライノット（ロープ固定部）
２０Ｂ        ロック金具（ロープ固定部）
２１          樹木上作業安全帯用胴綱
２５          操作用紐体
２６          開閉式フック（連結部材）
２７          カラビナ（連結部材）
３１          樹木上作業安全帯用胴綱
【図１】
0005748529.tif 000002
【図２】
0005748529.tif 000003
【図３】
0005748529.tif 000004
【図４】
0005748529.tif 000005
【図５】
0005748529.tif 000006
【図６】
0005748529.tif 000007
【図７】
0005748529.tif 000008
【図８】
0005748529.tif 000009
【図９】
0005748529.tif 000010
【図１０】
0005748529.tif 000011
【図１１】
0005748529.tif 000012
【図１２】
0005748529.tif 000013